(57)【特許請求の範囲】
【請求項１】
浴室の天井裏に配設される本体部と、吸込口及び吹出口を有し本体部の下面を覆うようにして天井の下面に配設されるグリル板とを備える浴室暖房乾燥機であって、
本体部内には、浴室内の空気をグリル板の吸込口から吹出口へ導くための送風路が形成され、
送風路における空気吹出し側部分は、本体部のケーシングに対して位置固定状態に設けられているダクト基端部と、ダクト基端部にスライド自在に配設されたダクト先端部とで構成され、
ダクト先端部は、引きバネが取り付けられて引きバネにより引っ張られて本体部内へ収納されるように仮止め支持された状態から、グリル板の吹出口と連なるように引きバネのバネ弾性力に抗して引っ張り出してグリル板と接続される浴室暖房乾燥機。
【請求項２】
請求項１に記載の浴室暖房乾燥機において、
上記送風路は、本体部のケーシングに対して位置固定状態に設けられている送風路本体と、送風路本体からグリル板の吹出口に向けて延設されている上記空気吹出し側部分とを有し、
上記引きバネは、空気吹出し側部分のダクト先端部と送風路本体との間に亘って装着されてダクト先端部を送風路本体に対して仮止め支持する構成とされている浴室暖房乾燥機。
【発明の詳細な説明】
【技術分野】
【０００１】
本発明は、浴室内の暖房及び浴室内に吊り下げた洗濯物等を乾燥させるための天井取り付け型の浴室暖房乾燥機に関する。
【背景技術】
【０００２】
浴室暖房乾燥機は、送風機及び加熱器を有し浴室の天井裏に配設される本体部と、吸込口及び吹出口を有し本体部の下面を覆うようにして天井の下面に配設されるグリル板とを備えている。本体部内には、送風機により浴室内の空気をグリル板の吸込口を通して取り込んで加熱器で加熱してグリル板の吹出口へ導くための送風路が形成されている。
【０００３】
この種の浴室暖房乾燥機を浴室の天井に設置する場合、本体先付け施工と本体後付け施工の２種類の施工方式が採用されている。
すなわち、本体先付け施工は、先に浴室暖房乾燥機の本体部を浴室の天井裏空間に吊り下げて設置した後、浴室ユニットを設置し、本体部のケーシング下端のフランジとグリル板との間に浴室ユニットの天井パネルの開口部周縁を挟んだ状態でグリル板を本体部の下面を覆うように取り付ける方式である。
本体後付け施工は、浴室ユニットを設置した後、浴室暖房乾燥機の本体部を浴室ユニットの天井パネルの開口部を通して天井裏空間に吊り下げて設置し、本体部のケーシング下端のフランジを天井パネルの下面に当接させた状態でグリル板を本体部の下面を覆うように取り付ける方式である。
【０００４】
この場合、本体後付け施工を基準として、本体部内の送風路における空気吹出し側部分をグリル板の吹出口と当接するように構成していると、本体先付け施工の場合には、本体部の空気吹出し側部分とグリル板の吹出口との間に隙間が生じて吸込み空気と吹出し空気との間で短絡が生じ、浴室暖房乾燥機の運転効率を低下させる問題があった。
【０００５】
そこで、従来、本体部の送風路における空気吹出し側部分を、位置固定状態にしたダクト基端部と、ダクト基端部に対して伸縮自在に仮止め支持したダクト先端部とで構成し、ダクト先端部をグリル板の吹出口に接続し、垂れ下がったダクト先端部を上方へ押し移動させるように構成していた（特許文献１、特許文献２）。また、ダクト基端部とダクト先端部との間に亘って圧縮バネを装着して、圧縮バネの弾性力によってダクト先端部を下方へ付勢させてグリル板の吹出口の周縁部に圧接させるように構成していた（特許文献３）。
【先行技術文献】
【特許文献】
【０００６】
【特許文献１】特許第４４９７６３１号公報
【特許文献２】特許第４５９３７２２号公報
【特許文献３】特許第３６７８１０１号公報
【発明の概要】
【発明が解決しようとする課題】
【０００７】
しかしながら、これら従来例では、本体部の設置状態においてダクト先端部が下方に下がった状態となって本体部のケーシングの下方に出っ張った状態となる。そのため、本体先付け施工を行う場合、浴室ユニットを設置する際にダクト先端部が邪魔になり浴室ユニットの設置作業を円滑に行い難くし、また、浴室ユニットを下方に出っ張ったダクト先端部にぶつけてダクト先端部を破損させる場合があった。
【０００８】
本発明は、上記事情に鑑みてなされたものであり、その目的とするところは、本体部のダクト先端部によって浴室ユニットの設置作業に支障を来たすことがなく、且つ浴室ユニット設置時におけるダクト先端部の破損を防止することが可能な浴室暖房乾燥機を提供することにある。
【課題を解決するための手段】
【０００９】
本発明に係る浴室暖房乾燥機は、
浴室の天井裏に配設される本体部と、吸込口及び吹出口を有し本体部の下面を覆うようにして天井の下面に配設されるグリル板とを備える浴室暖房乾燥機であって、
本体部内には、浴室内の空気をグリル板の吸込口から吹出口へ導くための送風路が形成され、
送風路における空気吹出し側部分は、本体部のケーシングに対して位置固定状態に設けられているダクト基端部と、ダクト基端部にスライド自在に配設されたダクト先端部とで構成され、
ダクト先端部は、引きバネが取り付けられて引きバネにより引っ張られて本体部内へ収納されるように仮止め支持された状態から、グリル板の吹出口と連なるように引きバネのバネ弾性力に抗して引っ張り出してグリル板と接続されるものである。
【００１０】
上記構成より、本体先付け施工の場合、本体部が天井裏空間に先に設置された状態では、ダクト先端部が引きバネによって引っ張られて本体部内に収納された状態で仮止め支持されるので、ダクト先端部が本体部から下方に出っ張った状態とならない。従って、浴室ユニット設置時に、ダクト先端部が邪魔にならずに浴室ユニットを浴室に設置することができ、また、浴室ユニットをダクト先端部にぶつけて破損させることも防止することができる。
【００１１】
上記送風路は、本体部のケーシングに対して位置固定状態に設けられている送風路本体と、送風路本体からグリル板の吹出口に向けて延設されている上記空気吹出し側部分とを有し、
上記引きバネは、空気吹出し側部分のダクト先端部と送風路本体との間に亘って装着されてダクト先端部を送風路本体に対して仮止め支持する構成とされていることが望ましい。
この場合、引きバネの下端がダクト先端部に取り付けられ、引きバネの上端がダクト基端部よりも上方の送風路本体に取り付けられる。従って、引きバネの上端をダクト基端部に取り付ける場合に比べて、ダクト基端部よりも上方の離れた位置に取り付けられるので、長い引きバネを使用することができる。長い引きバネを使用することでダクト先端部がグリル板に接続されたときの引きバネの伸び率が抑えられるので、ダクト先端部がグリル板に接続されて引きバネが引き伸ばされた状態が継続されても引きバネのヘタリを抑制することができる。
【発明の効果】
【００１２】
以上のように、本発明によれば、本体部の設置状態では引きバネによりダクト先端部が本体部内に収納されるので、本体先付け施工で設置する場合にダクト先端部が邪魔にならずに浴室ユニットを浴室に設置することができ、また、浴室ユニットをダクト先端部にぶつけて破損させることも防止することができる。
【図面の簡単な説明】
【００１３】
【図１】実施形態による浴室暖房乾燥機の構成を説明するための横側からの断面図である。
【図２】実施形態による浴室暖房乾燥機の構成を説明するための前側からの断面図である。
【図３】実施形態による浴室暖房乾燥機の本体部の下面図である。
【図４】実施形態による浴室暖房乾燥機のグリル板の下面図である。
【図５】天井裏設置状態の本体部のダクト先端部とグリル板との取り付けを説明するための模式図である。
【図６】実施形態による浴室暖房乾燥機を本体先付け施工した状態を示す断面図である。
【図７】実施形態による浴室暖房乾燥機を本体後付け施工した状態を示す断面図である。
【発明を実施するための形態】
【００１４】
以下、実施形態の浴室暖房乾燥機１について図面を参照しながら説明する。
図１〜図４に示した浴室暖房乾燥機１は、天井取り付け型の浴室暖房乾燥機１であって、送風機３１及び熱交換器（加熱器）３２を有し浴室の天井裏空間に配設される本体部２と、吸込口５１及び吹出口５２を有し本体部２の下面を覆うようにして天井パネル１２（図６、図７参照）の下面に配設されるグリル板５とを備えている。
【００１５】
本体部２は、浴室の天井裏空間において吊り下げボルト１１により吊り下げ支持されて配設される。この本体部２は、下面開口したケーシング２１を有し、ケーシング２１の下端部外周には全周に亘ってフランジ２２が周設されている。ケーシング２１の内部には、送風機３１及び熱交換器３２が収納され、また、送風機３１により浴室内の空気をグリル板５の吸込口５１を通して取り込んで熱交換器３２で加熱して加熱された空気をグリル板５の吹出口５２へ導くための送風路６が形成されている。
【００１６】
送風路６は、ケーシング２１に対して位置固定状態に設けられている送風路本体６１と、送風路本体６１からグリル板５の吹出口５２に向けて下方へ延設されている空気吹出し側部分６２とから構成されている。送風路本体６１内には、クロスフローファンからなる送風機３１が設置されている。送風路本体６１においてグリル板５の吸込口５１と対向する空気吸込み側の開口端には、送風路６内に通風される空気を加熱する加熱器としての熱交換器３２が配設されている。この熱交換器３２は、図示しない給湯装置から供給される温水を循環させて浴室から吸込んだ空気を熱交換加熱する。なお、加熱器として熱交換器３２に代えてヒータ等の他の加熱手段を用いてもよい。
【００１７】
送風路６の空気吹出し側部分６２は、送風路本体６１に接続されたダクト基端部６３と、ダクト基端部６３の下部にスライド自在に外嵌されたダクト先端部６４とで構成されている。ダクト基端部６３及びダクト先端部６４は、いずれも横長矩形筒状に形成されている。ダクト基端部６３は、口径が下方へ向けて広がるように形成され、ダクト先端部６４の口径は、上下に略同形に形成されている。ダクト基端部６３は、送風路本体６１の下端部６１ａにネジ固定等されて本体部２のケーシング２１に対して位置固定状態に設けられているが、ダクト先端部６４は、上下移動可能に設けられている。従って、ダクト先端部６４が上下に移動することで空気吹出し側部分６２の長さが可変されるので、本体部２とグリル板５との設置高さに応じてダクト先端部６４が下方へ引っ張り出されてグリル板５と連結される。
【００１８】
ダクト先端部６４には、内方側に位置する横長側面において下端部両端の２ケ所にグリル板５をネジ止めするためのネジ取付部６５が設けられている。また、ダクト先端部６４には、送風路本体６１との間で引きバネ８が取り付けられており、ダクト先端部６４は、この引きバネ８の弾性力により上方へ引っ張られて本体部２内へ収納されるように送風路本体６１に対して仮止め支持されている。すなわち、ダクト先端部６４における長手方向の両側部にバネ係止部６６が設けられ、各バネ係止部６６に送風路本体６１に取り付けられる引きバネ８の下端が係止されている。なお、バネ係止部６６は、ダクト先端部６４の側端面に直接突設してもよいし、ダクト先端部６４の側端面に形成するルーバー用モータ７２の収納部等の構成壁６８（図２参照）に設けてもよい。引きバネ８の送風路本体６１への取り付けは、引きバネ８の上端を係止したバネホルダ９を送風路本体６１の下端部６１ａにネジ固定するようにしている。
【００１９】
図２中の左側を参照して、バネホルダ９は、固定ネジ９６を挿通するネジ挿通孔９１ａを設けた上面部９１と、上面部９１から上方へ突設されて送風路本体６１の壁面と当接位置決めする突片９２と、上面部９１から下方へ垂設されて引きバネ８を下方へ直線上に案内するガイド片９３と、ガイド片９３の上部に設けられて引きバネ８の上端を引っ掛けるバネ係止片９４と、ガイド片９３の下部に設けられて引きバネ８を挿通するバネ挿通部９５とを有している。
このバネホルダ９に取り付けた引きバネ８を、その下端部をダクト先端部６４のバネ係止部６６に引っ掛け、バネホルダ９のネジ挿通孔９１ａに固定ネジ９６を通して送風路本体６１の下端部６１ａにネジ固定させることにより、ダクト先端部６４は、送風路本体６１に対して引きバネ８によって仮止め支持される。このように、バネホルダ９により引きバネ８を送風路本体６１に取り付けるので、送風路本体６１の横長の両側面が位置するケーシング２１内の狭い空間であっても引きバネ８の取り付け作業を容易に行うことができる。また、このようなバネホルダ９に引きバネ８を取り付けることにより、引きバネ８は、ガイド片９３及びバネ挿通部９５によって真っ直ぐ案内されて座屈することがなく安定してダクト先端部６４を仮止め支持することができる。
【００２０】
このようにして、ダクト先端部６４と送風路本体６１との間に亘って引きバネ８を装着することにより、ダクト先端部６４は、グリル板５の取り付け前の状態では、両側の引きバネ８により送風路本体６１に対して仮止め支持されるとともに、これら引きバネ８のバネ弾性力により上方へ引っ張り上げられて本体部２の下方へ出っ張ることがなく本体部２内に収納された状態となる。
【００２１】
また、引きバネ８の取り付け位置は、ダクト先端部６４におけるグリル板５のネジ取付部６５に近い側に配置される（図１参照）。これにより、ダクト先端部６４とグリル板５との連結時に引きバネ８の引っ張り力でダクト先端部６４が浮き上がって傾くことが防止される。従って、ダクト先端部６４が傾いてダクト先端部６４とグリル板５の吹出口５２との間に隙間が発生することを防止することができる。また、ダクト先端部６４の長手方向の両側壁には、それぞれ上端から上方へ延びる延長片６７が突設されている。この両側の延長片６７によってダクト先端部６４の長手方向における傾きが防止され、これによってもダクト先端部６４とグリル板５の吹出口５２との間における隙間の発生が防止される。
【００２２】
また、ダクト先端部６４内の下部には、風向調整用のルーバー板７が取り付けられている。図３を参照して、ルーバー板７は、軸７１によってダクト先端部６４の開口中央部に軸支されており、この軸７１には、ダクト先端部６４の外側面に配設されたルーバー用モータ７２が連結されている。ルーバー用モータ７２を駆動することによりルーバー板７の傾き（角度）が変更されて吹出口５２から吹出される温風の風向きが変更される。
【００２３】
図４を参照して、グリル板５は、本体部２のケーシング２１の下面と概略対応して横長矩形状に形成され、横長矩形状の吹出口５２と吸込口５１とが並設されている。吹出口５２は、本体部２におけるダクト先端部６４の先端開口部６４ａとほぼ同じ大きさに形成されている。吸込口５１は、グリル状に形成されてその上面には着脱自在にフィルタ５３（図１参照）が取り付けられる。また、グリル板５には、吹出口５２近傍の２ケ所にダクト先端部６４とネジ止めするためのネジ挿通孔５４が設けられ、四隅付近の４ケ所にケーシング２１とネジ止めするためのネジ挿通孔５５が設けられている。
【００２４】
以上の構成の浴室暖房乾燥機１について、図６に示すように、本体先付け施工で浴室の天井に設置する場合は、まず浴室ユニット施工前に浴室の天井裏空間において本体部２のケーシング２１の四隅に設けたボルト挿通部２３に４本の吊り下げボルト１１を連結して本体部２を吊り下げて設置した後、浴室ユニットの天井パネル１２を浴室の天井部分に施工し、本体部２の下面の開口部と天井パネル１２の開口部１２ａとを合わせてケーシング２１のフランジ２２を天井パネル１２の上面に当接させる。
【００２５】
このように、浴室ユニット設置前に本体部２が天井裏空間に先に設置された状態では、ダクト先端部６４が引きバネ８によって引っ張られて本体部２内に収納された状態で仮止め支持されるので（図１参照）、ダクト先端部６４が本体部２から下方に出っ張った状態とならない。従って、浴室ユニットの設置に際してダクト先端部６４が邪魔にならずに浴室ユニットを浴室に円滑に設置することができ、また、浴室ユニットをダクト先端部６４にぶつけて破損させることを防止することができる。
【００２６】
次に、本体部２の下面にグリル板５を取り付ける。図５を参照して、まず、グリル板５を本体部２のケーシング２１に対して四隅のネジ孔２４にネジ挿通孔５５を通して固定ネジ５７を４ケ所でネジ止めする（図５（ａ））。続いて、グリル板５の吹出口５２から手を入れて引きバネ８により本体部２内に収納されている状態のダクト先端部６４を引きバネ８のバネ弾性力に抗して下方へ引っ張り出す（図５（ｂ）参照）。そして、グリル板５におけるダクト接続用の２ケ所のネジ挿通孔５４とダクト先端部６４に設けた２ケ所のネジ取付部６５とを合わせて固定ネジ５６により２ケ所でネジ止めし、ダクト先端部６４の先端開口部６４ａとグリル板５の吹出口５２とが連なるようにグリル板５とダクト先端部６４とを接続する（図５（ｃ）参照）。すると、図６に示すように、ケーシング２１のフランジ２２とグリル板５との間に天井パネル１２の開口部１２ａの周縁を挟んだ状態でグリル板５が本体部２の下面を覆うように取り付けられる。
【００２７】
このように、引きバネ８で引っ張り上げられていたダクト先端部６４をグリル板５にネジ止めで接続することにより、ダクト先端部６４とグリル板５の吹出口５２との間に隙間がない状態となり、吸込み空気と吹出し空気との間で短絡が生じることがない。
【００２８】
一方、図７に示すように、本体後付け施工で浴室の天井に設置する場合は、浴室に浴室ユニットを設置した後、浴室ユニットの天井パネル１２の開口部１２ａを通して浴室暖房乾燥機１の本体部２を天井裏空間に吊り下げボルト１１で設置してケーシング２１のフランジ２２を天井パネル１２の下面に当接させる。次に、グリル板５の取り付けは、図５で示した本体先付け施工の場合と同様の手順で、グリル板５をケーシング２１の４ケ所でネジ止めし、続いて、グリル板５の吹出口５２から手を入れてダクト先端部６４を引っ張り出してダクト先端部６４とグリル板５とを２ケ所でネジ固定させる。すると、図７に示すように、ケーシング２１のフランジ２２を天井パネル１２の下面に当接させた状態でグリル板５が本体部２の下面を覆うように取り付けられる。この場合も、引きバネ８を伸ばしてダクト先端部６４を下方へ引き下げてグリル板５の吹出口５２と連結されるので、ダクト先端部６４とグリル板５の吹出口５２との間に隙間がない状態にすることができる。
【００２９】
このように、本浴室暖房乾燥機１によれば、上記施工方法や天井パネル１２の厚みにかかわらず、ダクト先端部６４とグリル板５の吹出口５２との間に隙間のない状態とすることができ、吸込み空気と吹出し空気との短絡による浴室暖房乾燥機１の運転効率の低下が防止される。
【００３０】
また、引きバネ８は、空気吹出し側部分６２のダクト先端部６４と送風路本体６１との間に亘って装着されてダクト先端部６４を送風路本体６１に対して仮止め支持する構成とされてダクト基端部６３よりも上方の離れた位置に取り付けられるから、引きバネ８の上端をダクト基端部６３に取り付ける場合に比べて長い引きバネ８を用いることができる。このように、長い引きバネ８を使用することでダクト先端部６４がグリル板５に接続されたときの引きバネ８の伸び率が抑えられるので、ダクト先端部６４がグリル板５に接続されて引きバネ８が引き伸ばされた状態に継続されても引きバネ８のヘタリを抑制することができる。その結果、浴室暖房乾燥機１の設置後に本体部２の点検等に際して、グリル板５の取り外し等を行うときグリル板５がダクト先端部６４と接続状態にあれば引きバネ８のバネ弾性力によりグリル板５の落下及び垂れ下がりが抑えられて、グリル板５の取り外し作業及び取り付け作業を容易に行うことができる。
【００３１】
以上のようにして浴室の天井に設置された浴室暖房乾燥機１は、送風機３１を作動させ、浴室内の空気をグリル板５の吸込口５１から吸い込んで熱交換器３２で加熱し、この加熱された空気が送風路６の空気吹出し側部分６２より導かれてグリル板５の吹出口５２から温風として浴室内に吹出される。このようにして、この浴室暖房乾燥機１は、入浴前、入浴中の浴室暖房として使用され、また、浴槽の上方に物干しバーを配置して洗濯物を吊るし、浴室暖房乾燥機１の吹出口５２を洗濯物に向けて吹き出させて洗濯物の乾燥にも使用される。
【００３２】
また、この浴室暖房乾燥機１は、本体部２のケーシング２１の側壁面に換気ファン４１を備える換気ユニット４が取り付けられている（図１、図２参照）。換気ユニット４のファンケース４２は、本体部２のケーシング２１内部と連通可能に設けられている。従って、換気ファン４１を作動させ、本体部２のケーシング２１を通して浴室内の空気を吸引して排気ダクト４３から屋外へ排気して浴室の換気運転を行うことができる。なお、換気ユニット４は、脱衣室やトレイ等ともダクトを接続して脱衣室やトレイ等の換気運転を行うようにすることができる。
【００３３】
なお、本発明は、上記実施形態のみに限定されず、発明の要旨の範囲内で種々の変更を施すことができる。
例えば、引きバネ８の取り付けは、送風路本体６１側とダクト先端部６４側の両側ともバネホルダ９を介して取り付けてもよいし、ダクト先端部６４側のみバネホルダ９を介して取り付けてもよいし、また、バネホルダ９を用いず送風路本体６１側とダクト先端部６４側とに取り付けてもよい。
また、引きバネ８は、ダクト基端部６３とダクト先端部６４との間に亘って装着するようにしてもよい。この場合、引きバネ８の取り付け位置をダクト先端部６４の下方位置とダクト基端部６３の上方位置とに配置して、なるべく長い引きバネ８を使用するようにして、ダクト先端部６４がグリル板５に接続されたときの引きバネ８の伸び率が抑えられて引きバネ８のヘタリが抑制されるようにしてもよい。
また、グリル板５の取り付けは、ダクト先端部６４と吹出口５２とを先に固定ネジ５６でネジ止めしてからグリル板５の四隅を固定ネジ５７でネジ止めしてもよいし、また、グリル板５の取り外しも先にグリル板５の四隅の固定ネジ５７を外してからダクト先端部６４と吹出口５２とを接続している固定ネジ５６を外すようにしてもよい。
【符号の説明】
【００３４】
１  浴室暖房乾燥機
２  本体部
５  グリル板
６  送風路
８  引きバネ
９  バネホルダ
１１  吊り下げボルト
１２  天井パネル
１２ａ  開口部
２１  ケーシング
２２  フランジ
３１  送風機
３２  熱交換器（加熱部）
５１  吸込口
５２  吹出口
６１  送風路本体
６２  空気吹出し側部分
６３  ダクト基端部
６４  ダクト先端部
６４ａ  先端開口部
６５  ネジ取付部
６６  バネ係止部
６７  延長片
【図１】
0005600707.tif 000002
【図２】
0005600707.tif 000003
【図３】
0005600707.tif 000004
【図４】
0005600707.tif 000005
【図５】
0005600707.tif 000006
【図６】
0005600707.tif 000007
【図７】
0005600707.tif 000008